(57)【要約】【課題】    安価、かつ高い精度で、筐体内の温度変化によって生じる色ずれを防止することができる光走査装置及びカラー画像形成装置を得る。【解決手段】  ハウジング４２内の温度が上昇したとき、支持部６４を中心に、同期信号が早く検知される方向へＳＯＳミラー６０を回転させ、ＳＯＳセンサ６２による光ビームの検知を早くすることで、印字開始タイミングを早める。一方、ハウジング４２内の温度が下降したときは、支持部６４を中心に、同期信号が遅く検知される方向へＳＯＳミラー６０を回転させ、ＳＯＳセンサ６２による光ビームの検知を遅くすることで、印字開始タイミングを遅くする。これにより、ハウジング４２内の温度が変化したことで生じる倍率誤差を印字開始側と印字終了側とで振り分けることができ、該倍率誤差を小さくすることができる。このため、高い精度で、ハウジング４２内の温度変化によって生じる色ずれを目立たなくすることができ、画像品質を向上させることができる。【選択図】        図３
2006267701.tif 000002
【特許請求の範囲】
【請求項１】
筐体内に設けられ、光源から出射される光ビームを偏向する偏向器と、
前記偏向器から入射された光ビームを反射させる反射ミラーと、
前記反射ミラーにより反射された光ビームが入射されると、同期信号を出力する同期検知センサと、
を備え、
前記筐体内の温度変化に応じて前記反射ミラーから前記同期検知センサへ入射する光ビームの光路を変える第１補正手段が設けられたことを特徴とする光走査装置。
【請求項２】
筐体内に設けられ、光源から出射される光ビームを偏向する偏向器と、
前記偏向器から入射された光ビームを反射させる反射ミラーと、
前記反射ミラーにより反射された光ビームが入射されると、同期信号を出力する同期検知センサと、
を備え、
前記筐体内の温度変化に応じて前記同期検知センサの受光位置を変える第２補正手段が設けられたことを特徴とする光走査装置。
【請求項３】
前記第１補正手段が、
前記反射ミラーの一端部を回転可能に支持する支持部と、
前記反射ミラーの他端部に当接し温度によって伸縮し、前記支持部を中心に反射ミラーを回転させる伸縮部材と、
前記反射ミラーの他端部に当接し、反射ミラーを前記伸縮部材側へ付勢する付勢手段と、
で構成されたことを特徴とする請求項１に記載の光走査装置。
【請求項４】
前記伸縮部材を前記筐体に取り付ける保持部材の材質が、前記筐体内に配設されたｆθレンズと同じ材質であることを特徴とする請求項３に記載の光走査装置。
【請求項５】
前記第２補正手段が、
一端側を中心として回転可能に設けられ、他端部に前記同期検知センサが固定された回転部材と、
前記回転部材の一端部に当接し、温度によって伸縮して、回転部材を回転させる伸縮部材と、
前記回転部材の一端部に当接し、回転部材を前記伸縮部材側へ付勢する付勢手段と、
で構成されたことを特徴とする請求項２に記載の光走査装置。
【請求項６】
光源から出射される光ビームを偏向する偏向器を備え、
前記偏向器による光ビームの偏向終了側の筐体を移動不能にフレームに固定し、偏向器による光ビームの偏向開始側の筐体を移動可能に前記フレームに取付け、筐体内の温度変化に応じて筐体の前記光ビームの偏向開始側を伸縮させることを特徴とした光走査装置。
【請求項７】
光ビームが入射されると同期信号を出力する同期検知センサを筐体のカバーに取り付けたことを特徴とする請求項６に記載の光走査装置。
【請求項８】
請求項１〜７の何れか１項に記載の光走査装置を複数用いたことを特徴とするカラー画像形成装置。
【発明の詳細な説明】
【技術分野】
【０００１】
本発明は、電子写真法により画像を形成する装置に使用される光走査装置及び複数の光走査装置を搭載したカラー画像形成装置に関するものである。
【背景技術】
【０００２】
従来から、画像記録に用いられる光走査装置において、環境温度が変化すると、レンズの伸縮、レンズの屈折率変化、光ビームの波長変化等により倍率誤差が生じ、画像品質を損ねてしまうという問題がある。特に、実際の印字動作において倍率誤差は、印字開始側のズレ分も印字終了側に現れるため問題である。
【０００３】
このようなことから、色ずれを目立たなくする手段として、特許文献１では、主走査の走査開始タイミングを検出する同期検知センサにより光ビームの速度を検出し、その速度を元に該同期検知ミラーを回転させ、印字開始位置を変化させるとともに、画像書き込みクロックを変化させている。
【０００４】
また、特許文献２では、温度変化に対応して折り返しミラーを湾曲させることにより、倍率誤差の変動を補正し、色ずれを目立たなくしている。
【特許文献１】特許第３２４５２４３号
【特許文献２】特許第３３８８９８１号
【発明の開示】
【発明が解決しようとする課題】
【０００５】
しかしながら、特許文献１では、同期信号幅の微小変化を検出する必要があるため、高速の同期検知センサが必要である。また、同期信号幅は、ジッタ、光ビームのパワー、光ビームの太さによっても影響を受けるため、それらは検出誤差となり、良好な色ずれ防止策とはならない。さらに、同期検知ミラーを複雑な構成で回転または移動させるため、コスト高である。
【０００６】
また、特許文献２では、折り返しミラーが必須であり筐体内のレイアウトに制約ができる。また、環境温度が下がったときは機能しない。
【０００７】
本発明は上記問題点を解決し、安価、かつ高い精度で、筐体内の温度変化によって生じる色ずれを防止することができる光走査装置及びカラー画像形成装置を得ることが目的である。
【課題を解決するための手段】
【０００８】
請求項１に記載の発明は、光走査装置において、筐体内に設けられ、光源から出射される光ビームを偏向する偏向器と、前記偏向器から入射された光ビームを反射させる反射ミラーと、前記反射ミラーにより反射された光ビームが入射されると、同期信号を出力する同期検知センサと、を備え、前記筐体内の温度変化に応じて前記反射ミラーから前記同期検知センサへ入射する光ビームの光路を変える第１補正手段が設けられたことを特徴とする。
【０００９】
請求項１に記載の発明では、第１補正手段によって、筐体内の温度変化に応じて反射ミラーから同期検知センサへ入射する光ビームの光路を変えるようにしている。
【００１０】
筐体内温度が上昇したとき、同期検知センサによる光ビームの検知は通常よりも遅くなってしまい、また、レンズ等の光学部品の伸縮、屈折率の変化、光ビームの波長変化等により、印字開始側のズレ分も印字終了側に現れるため、印字終了側では特に通常の場合とのズレ量が大きくなってしまう。
【００１１】
このため、筐体内温度が上昇したとき、反射ミラーから偏向器による偏向開始タイミングを検知する同期検知センサまでの光ビームの光路を短くして、同期検知センサによる光ビームの検知を早くすることで、印字開始タイミングを早める。
【００１２】
これにより、筐体内の温度が変化したことで生じる倍率誤差を印字開始側と印字終了側とで振り分けることができ、該倍率誤差を小さくすることができる。このため、本発明による光走査装置をカラー画像形成装置に適用させた場合、高い精度で、筐体内の温度変化によって生じる色ずれを目立たなくすることができ、画像品質を向上させることができる。
【００１３】
請求項２に記載の発明は、光走査装置において、筐体内に設けられ、光源から出射される光ビームを偏向する偏向器と、前記偏向器から入射された光ビームを反射させる反射ミラーと、前記反射ミラーにより反射された光ビームが入射されると、同期信号を出力する同期検知センサと、を備え、前記筐体内の温度変化に応じて前記同期検知センサの受光位置を変える第２補正手段が設けられたことを特徴とする。
【００１４】
請求項２に記載の発明では、第２補正手段によって、筐体内の温度変化に応じて、偏向器による偏向開始タイミングを検知する同期検知センサの受光位置を変えるようにしている。これにより、請求項１に記載の発明と略同一の効果を得ることができる。
【００１５】
請求項３に記載の発明は、請求項１に記載の光走査装置において、前記第１補正手段が、前記反射ミラーの一端部を回転可能に支持する支持部と、前記反射ミラーの他端部に当接し温度によって伸縮し、前記支持部を中心に反射ミラーを回転させる伸縮部材と、前記反射ミラーの他端部に当接し、反射ミラーを前記伸縮部材側へ付勢する付勢手段と、で構成されたことを特徴とする。
【００１６】
請求項３に記載の発明では、反射ミラーの一端部を支持部で支持し、該支持部を中心に反射ミラーを回転可能としている。この反射ミラーの他端部に、温度によって伸縮する伸縮部材を当接させ、温度によって反射ミラーを回転させるようにしている。
【００１７】
つまり、筐体内温度の上昇により、伸縮部材の長さが伸長すると、伸縮部材によって反射ミラーの他端部は押圧され、支持部を中心に反射ミラーが回転する。このとき、反射ミラーは、同期検知センサによって偏向開始タイミングを検知するための同期信号が早く検知される方向へ回転する。
【００１８】
また、反射ミラーの他端部には、反射ミラーを伸縮部材側へ付勢する付勢手段を設けており、筐体内温度が下降したとき伸縮部材の長さは縮小するが、付勢手段によって反射ミラーは支持部を中心に回転する。このように、筐体内温度が下降したときは、反射ミラーは、同期検知センサによって該同期信号が遅く検知される方向へ回転する。
【００１９】
本発明では、請求項１に記載の発明の効果に加え、特別な温度検出手段を必要としないため、検出誤差は小さく、精度の高い補正が可能である。また、単純な構成で反射ミラーを移動させるため、安価である。
【００２０】
請求項４に記載の発明は、請求項３に記載の光走査装置において、前記伸縮部材を前記筐体に取り付ける保持部材の材質が、前記筐体内に配設されたｆθレンズと同じ材質であることを特徴とする。
【００２１】
請求項４に記載の発明では、伸縮部材を筐体に取り付ける保持部材の材質を筐体内のｆθレンズと同じ材質にすることで、温度以外の外的要因、例えば湿度等の変化があっても、保持部材は該ｆθレンズと同じ挙動を示すため、補正誤差を少なくすることができる。
【００２２】
請求項５に記載の発明は、請求項２に記載の光走査装置において、前記第２補正手段が、一端側を中心として回転可能に設けられ、他端部に前記同期検知センサが固定された回転部材と、前記回転部材の一端部に当接し、温度によって伸縮して、回転部材を回転させる伸縮部材と、前記回転部材の一端部に当接し、回転部材を前記伸縮部材側へ付勢する付勢手段と、で構成されたことを特徴とする。
【００２３】
請求項５に記載の発明では、一端側を中心として回転可能に設けられた回転部材の他端部に同期検知センサを固定する。また、回転部材の一端部には、温度によって伸縮する伸縮部材と、回転部材を伸縮部材側へ付勢する付勢手段を当接させている。
【００２４】
筐体内温度が上昇したとき、伸縮部材が伸長して付勢手段の抗する方向へ回転部材が回転し、偏向器による偏向開始タイミングを検知するための同期信号を早く検知する方向に同期検知センサが移動する。
【００２５】
また、筐体内温度が下降したとき、伸縮部材が縮小して付勢手段によって回転部材が回転し、該同期信号が遅く検知される方向に同期検知センサが移動する。このようにして、請求項３に記載の発明と略同一の効果を得ることができる。
【００２６】
請求項６に記載の発明は、光走査装置において、光源から出射される光ビームを偏向する偏向器を備え、前記偏向器による光ビームの偏向終了側の筐体を移動不能にフレームに固定し、偏向器による光ビームの偏向開始側の筐体を移動可能に前記フレームに取付け、筐体内の温度変化に応じて筐体の前記光ビームの偏向開始側を伸縮させることを特徴とする。
【００２７】
請求項６に記載の発明では、筐体内の温度変化に応じて筐体の光ビームの偏向開始側を伸縮させるようにすることで、印字開始位置をそのものを外側にずらすことができる（印字開始が早くなる）ため、温度が変化したことによって生じる倍率誤差を印字開始側と印字終了側とで振り分けることができ、温度変化によって生じる色ずれを目立たなくすることができる。
【００２８】
請求項７に記載の光走査装置は、請求項５に記載の光走査装置において、光ビームが入射されると同期信号を出力する同期検知センサを筐体のカバーに取り付けたことを特徴とする。
【００２９】
一般的にハウジングは熱変形の影響を小さくするために線膨張係数の小さい材質により構成される（たとえばガラス入りＰＣ  線膨張係数：２．７×１０-5／℃）が、カバーは線膨張係数の大きい材料（たとえばＡＢＳ  線膨張係数：７．４×１０-5／℃）で構成される。
【００３０】
このため、請求項７に記載の発明では、同期検知センサーを、ハウジングに取り付けた場合と比較して、カバーに取り付けることにより、同期検知センサーの熱による移動量が大きくなる。このため、該移動量が大きくなる分、カバーの大きさを小さくすることができ、光走査装置の小型化が可能となる。
【００３１】
請求項８に記載の発明は、  画像形成装置において、請求項１〜７の何れか１項に記載の光走査装置を複数用いたことを特徴とする。
【００３２】
請求項８に記載の発明では、  請求項１〜７の何れか１項に記載の光走査装置を複数用いることで、筐体内の温度変化によって生じる色ずれを目立たなくすることができ、画像品質を向上させることができる。
【発明の効果】
【００３３】
本発明は、上記構成としたので、請求項１、２及び８に記載の発明では、筐体内の温度が変化したことで生じる倍率誤差を印字開始側と印字終了側とで振り分けることができ、該倍率誤差を小さくすることができるため、高い精度で、筐体内の温度変化によって生じる色ずれを目立たなくすることができ、画像品質を向上させることができる。
【００３４】
請求項３及び５に記載の発明では、請求項１に記載の発明の効果に加え、特別な温度検出手段を必要としないため、検出誤差は小さく、精度の高い補正が可能である。また、単純な構成で反射ミラーを移動させるため、安価である。
【００３５】
請求項４に記載の発明では、伸縮部材を筐体に取り付ける保持部材の材質を筐体内のｆθレンズと同じ材質にすることで、温度以外の外的要因、例えば湿度等の変化があっても、保持部材は該光学部品と同じ挙動を示すため、補正誤差を少なくすることができる。
【００３６】
請求項６に記載の発明では、印字開始位置をそのものを外側にずらすことができる（印字開始が早くなる）ため、温度が変化したことによって生じる倍率誤差を印字開始側と印字終了側とで振り分けることができ、温度変化によって生じる色ずれを目立たなくすることができる。
【００３７】
請求項７に記載の光走査装置では、同期検知センサーを、ハウジングに取り付けた場合と比較して、カバーに取り付けることにより、同期検知センサーの熱による移動量が大きくなる。このため、該移動量が大きくなる分、カバーの大きさを小さくすることができ、光走査装置の小型化が可能となる。
【発明を実施するための最良の形態】
【００３８】
本発明の実施の形態に係る光走査装置について説明する。まず、光走査装置を複数備えた画像形成装置の構成について説明する。
（画像形成装置の構成）
図１に示すように、画像形成装置１０は、箱状の本体ハウジング１２を備えており、本実施形態では本体ハウジング１２内にイエローのトナー画像を形成する画像形成部１４Ｙ、マゼンタのトナー画像を形成する画像形成部１４Ｍ、シアンのトナー画像を形成する画像形成部１４Ｃ及びブラックのトナー画像を形成する画像形成部１４Ｋが上から順に縦方向に配置されている。
【００３９】
画像形成部１４Ｙ、Ｍ、Ｃ、Ｋは、各々感光体カートリッジ１８、光走査装置２０（なお、ＹＭＣＫを区別する必要がある場合は、符号の後にＹ、Ｍ、Ｃ、Ｋの何れかを付して説明し、ＹＭＣＫを区別する必要が無い場合は、Ｙ、Ｍ、Ｃ、Ｋを省略する。）及び転写ロール２２を備えている。
【００４０】
ここで、感光体カートリッジ１８は、ドラム状の感光体２４、この感光体２４の表面を帯電させる帯電ロール２６、感光体２４の表面に光走査装置２０にて露光形成された静電潜像を対応する色トナーで現像する現像器２８、感光体２４の表面の残留トナーを除去するクリーナー３０を一体的にカートリッジ化したものである。
【００４１】
一方、本体ハウジング１２の内部には、下方に用紙（図示せず）を収容する給紙カセット１６が設けられている。この給紙カセット１６には、用紙を所定のタイミングで送出するフィードロール３２が設けられており、フィードロール３２と画像形成部１４Ｋとの間に位置する搬送経路１７には、入口側のニップ搬送ロール３４が設けられると共に、この用紙搬送方向下流側には、光学式の用紙通過センサ３６が配置されている。
【００４２】
この用紙通過センサ３６は、用紙の先端を検出するものであり、この検出タイミングに基づいて、各光走査装置２０の静電潜像の書込タイミングが制御される。さらに、画像形成部１４Ｙの用紙搬送方向下流側に位置する搬送経路１７には、用紙を加熱することによってトナー画像を用紙に定着させる定着器３８が設けられており、この定着器３８は、ヒータを内蔵したヒートロール３９を備えている。
【００４３】
この定着器３８の用紙搬送方向下流側には、用紙排出用の排出ロール４０が設けられており、トナー画像の転写された用紙はこの排出ロール４０によって本体ハウジング１２の上部に形成された収容トレイ４１に排出される。
［光走査装置］
図２及び図３に示すように、光走査装置２０は、一部が開放された箱状のハウジング４２と、このハウジング４２の開口部分を塞ぐカバー（ここでは図示を省略）を備えている。
【００４４】
ハウジング４２内には、レーザダイオード（ＬＤ）４４が配設されている。また、ハウジング４２の底板には、コリメータレンズ４６、シリンダレンズ４８、光偏向器５０、ｆθレンズ５２がＬＤ４４の光ビームの射出側に順に固定されている。
【００４５】
光偏向器５０は、ポリゴンミラー５４とこのポリゴンミラー５４を回転させるモータ５６とで構成されており、ＬＤ４４から射出された光ビームは、コリメータレンズ４６、シリンダレンズ４８を通過した後、ポリゴンミラー５４で反射され、ｆθレンズ５２を透過する。
【００４６】
また、ハウジング４２には、ｆθレンズ５２を透過した光ビームを通過させるため、ｆθレンズ５２の近傍の側壁４２Ａに開口部５８が形成され、開口部５８内には防塵ガラス（図示省略）が嵌め込まれており、この防塵ガラスを通過した光ビームは、感光体２４上に結像される。そして、感光体２４上に結像された光ビームは、ポリゴンミラー５４の回転によって感光体２４の表面を軸方向に沿って走査する。
【００４７】
一方、ｆθレンズ５２と側壁４２Ａの間に位置し、且つポリゴンミラー５４による偏向開始側（以下、光ビームの走査開始側という）には、ＳＯＳ（Start Of Scan）ミラー（反射ミラー）６０が配設されており、ポリゴンミラー５４による偏向終了側（以下、光ビームの走査終了側という）には、ＳＯＳ（Start Of Scan）センサ６２が配設されている。ポリゴンミラー５４で偏向された光ビームのうち、走査開始位置の光ビームが、ＳＯＳミラー６０により反射され、ＳＯＳセンサ６２へ入射される。
【００４８】
ここで、ＳＯＳセンサ６２は、光ビームの入射に応じた信号出力を行うものであり、１走査毎に、その走査開始タイミングを検知することができる。このＳＯＳセンサ６２の出力信号（いわゆるＳＯＳ信号）により、走査方向の走査開始タイミングの同期が取られ、画像信号に基づき変調された光ビームが、ＬＤ４４から出射される。
［第１の実施形態］
図２〜図４に示すように、ＳＯＳセンサ６２側に位置するＳＯＳミラー６０の一端部近傍には、一対の支持部６４が立設しており、ＳＯＳミラー６０の一端部が当接している。また、ＳＯＳミラー６０の背面側には、略直方体状のアクリル製の保持部材６６がハウジング４２の底板に固定されている。この保持部材６６のＳＯＳミラー６０の他端部側に相当する位置には、温度変化に応じて伸縮可能な棒状の伸縮部材６８が取り付けられており、ＳＯＳミラー６０の背面に当接している。
【００４９】
ＳＯＳミラー６０の表面側には、ハウジング４２の底板に固定されたホルダー７２の端面から板バネ部７０、７１がそれぞれ立ち上がり、ＳＯＳミラー６０の両端部に向かってそれぞれ当接している。板バネ部７０はＳＯＳミラー６０を伸縮部材６８側へ付勢しており、板バネ部７１はＳＯＳミラー６０の一端部を押圧し、支持部６４によって確実にＳＯＳミラー６０の一端部を支持させるようにしている。
【００５０】
このような構成により、ハウジング４２内の温度が上昇すると、図５に示すように、伸縮部材６８は伸長し、板バネ部７０の付勢力に抗してＳＯＳミラー６０の背面を押圧する。これにより、ＳＯＳミラー６０は板バネ部７１によって支持部６４を中心に矢印方向へ回転することとなる。
【００５１】
一方、ハウジング４２内の温度が下降し、伸縮部材６８が縮小すると、コイルスプリング７０の付勢力によりＳＯＳミラー６０は支持部６４を中心に矢印方向と反対方向へ回転することとなる。
【００５２】
ハウジング４２内の温度が上昇したとき、ｆθレンズ５２等の光学部品の伸縮、屈折率の変化、また、光ビームの波長変化等により走査幅が広がるが、光走査装置２０上での印字動作においては、ＳＯＳセンサ６２が光ビームを検知してから印字開始するため、倍率誤差は印字終了側にほとんど現れてしまう。
【００５３】
このため、ハウジング４２内の温度が上昇したとき、支持部６４を中心に、同期信号が早く検知される方向（矢印方向）へＳＯＳミラー６０へ回転させ、ＳＯＳセンサ６２による光ビームの検知を早くすることで、印字開始タイミングを早める。
【００５４】
一方、ハウジング４２内の温度が下降したときは、支持部６４を中心に、同期信号が遅く検知される方向（矢印方向と反対方向）へＳＯＳミラー６０を回転させ、ＳＯＳセンサ６２による光ビームの検知を遅くすることで、印字開始タイミングを遅くする。
【００５５】
これにより、ハウジング４２内の温度が変化したことで生じる倍率誤差を印字開始側と印字終了側とで振り分けることができ、高い精度で、ハウジング４２内の温度変化によって生じる色ずれを目立たなくすることができ、画像品質を向上させることができる。
【００５６】
このように、本発明では、特別な温度検出手段を必要としないため、検出誤差は小さく、精度の高い補正が可能である。また、単純な構成でＳＯＳミラー６０を移動させるため、安価である。
【００５７】
また、伸縮部材６８を取り付けた保持部材６６をｆθレンズ５２と同じ材質、例えばアクリルで形成することで、温度以外の外的要因、例えば湿度等の変化があっても、保持部材６６は該ｆθレンズ５２と同じ挙動を示すため、補正誤差を少なくすることができる。
［第２の実施形態］
本発明では、色ずれを目立たなくするために、ＳＯＳミラー６０の反射角度を変える代わりに、ＳＯＳセンサ６２の位置を変えるようにしている。
【００５８】
図６及び図７に示すように、長板状の回転部材８０の一端部にＳＯＳセンサ６２が固定されている。回転部材８０の他端部は、ＳＯＳセンサ６２とは光ビームの走査光路を間に置いて反対側に位置するハウジング４２の角部側に配置されており、ハウジング４２の底板から立設する軸部８２に回転可能に軸支されている。
【００５９】
また、ハウジング４２の側壁４２Ａには、板バネ８４の一端部が固定されており、板バネ８４の他端部が回転部材８０の他端部に当接している。回転部材８０を間に置いて、板バネ８４の反対側には、保持部材６６に取り付けられた伸縮部材６８が当接している。
【００６０】
このため、ハウジング４２内の温度が上昇したとき、図８に示すように、回転部材８０は、軸部８２を中心に矢印方向へ回転し、ＳＯＳセンサ６２の受光位置が変わり、走査開始タイミングを検知するための同期信号が早く検知される方向へＳＯＳセンサ６２が移動する。これにより、走査倍率が大きくなる方向へ変化する光走査装置２０に対して補正する。
【００６１】
また、ハウジング４２内の温度が下降したとき、回転部材８０は、軸部８２を中心に矢印方向と反対方向へ回転し、走査開始タイミングを検知するための同期信号が遅く検知される方向へＳＯＳセンサ６２が移動する。
【００６２】
ここで、回転部材８０の一端側には、図７に示すように（なお、図８では図示を省略）、クランク状に屈曲し、回転部材８０の一端側の上部を覆うスプリング８６を配置し、ハウジング４２の底板に固定している。一方、回転部材８０の一端側には、上方へ向かって延出する延出片８０Ａを設けており、延出片８０Ａの先端面がスプリング８６の天井面に当接可能となっている。
【００６３】
延出片８０Ａの先端面がスプリング８６の天井面に当接した状態で，回転部材８０の一端側を移動させることで、回転部材８０の一端側の浮きを防止し、回転部材８０をハウジング４２の底板に沿って回転させることができる。
［第３の実施形態］
本発明では、色ずれを目立たなくするため第１及び第２の実施形態とは異なる方法が用いられる。
【００６４】
図９に示すように、ハウジング４２の側壁４２Ａの光ビームの走査開始側、光ビームの走査終了側及び、側壁４２Ａに対面する側壁４２Ｂのポリゴンミラー５４側からは、それぞれ固定片９０、９２、９４が張り出している。
【００６５】
固定片９２の裏面からは、ボス９６が突出している。このボス９６は、フレーム９８側に形成され該ボス９６の外径寸法と略同一の内径寸法を有する位置決め孔１００と嵌合した状態で、固定片９２はフレーム９８に固定される。
【００６６】
一方、固定片９０（なお、固定片９４側は固定片９０と略同一であるがボスは無い）の裏面からは、ボス１０２が突出している。このボス１０２は、フレーム９８側に形成され該ボス１０２の外径寸法と略同一の幅寸法を有する長孔１０４に係合した状態で、ボス１０２は長孔１０４に沿って移動可能としている。
【００６７】
また、図１１に示すように、固定片９０はフレーム９８側に設けられた板バネ８４によってフレーム９８側へ付勢されている。ハウジング４２内の温度変化に応じて、固定片９２側を位置決め基準（ハウジング基準）として、固定片９０及び固定片９４側を伸縮可能とすることで、印字開始位置をそのものを外側にずらすことができる（印字開始が早くなる）。このため、温度が変化したことによって生じる倍率誤差を印字開始側と印字終了側とで振り分けることができ、温度変化によって生じる色ずれを目立たなくすることができる。
【００６８】
なお、ここでは、第１及び第２の実施形態とは異なる方法として説明したが、第１又は第２の実施形態に加え、本実施形態を適用しても良いのは勿論のことである。
［第４の実施形態］
本発明では、第３の実施形態の要旨に加え、第１〜３の実施形態に係る光走査装置において、例えば図３に示すように、ｆθレンズ５２と側壁４２Ａとの間に配置されていたＳＯＳミラー６０に加えて、図１２及び図１３に示すように、反射ミラー１１０を配置している。
【００６９】
そして、ハウジング１１２の側壁１１２Ａと直交し、かつ光ビームの走査開始側の側壁１１２ＣとＬＤ４４との間にＳＯＳミラー６０を配置して、反射ミラー１１０へ入射された光ビームをＳＯＳミラー６０へ反射させるようにしている。
【００７０】
また、ＳＯＳセンサ６２は、ハウジング１１２の開口を閉塞するカバー１１４の角部側にカバー１１４の裏面から垂下した状態で取り付けられており、ハウジング１１２にカバー１１４を取り付けた状態で、ハウジング１１２の側壁１１２Ａに沿って光ビームの走査開始側に配置される。
【００７１】
ところで、カバー１１４の、光ビームの走査終了側の角部には、カバー１１４に穴１１６が形成されている。ハウジング１１２の側壁１１２Ａには穴１１６が外嵌可能なボス１１８が立設している。このボス１１８の外径寸法は穴１１６の内径寸法と略同一となっており、穴１１６がボス１１８に外嵌された状態で、ハウジング１１２に対して穴１１６が位置決めされ、その近傍でネジにより固定される（取り付け基準）。
【００７２】
一方、カバー１１４の他の角部では、いわゆるスナップフィットを構成する略矩形状の係止部１２０がカバー１１４から垂下した状態で設けられている。ハウジング１１２の側壁１１２Ａ、１１２Ｂ、１１２Ｄ（側壁１１２Ｃと対面する側壁）の外面には、係止部１２０に対応して突起部１２２が突出しており、係止部１２０を弾性変形させ突起部１２２を乗り越えた状態で突起部１２２に係止部１２０を係止させて、カバー１１４をハウジング１１２に固定する。
【００７３】
ここで、カバー１１４の、光ビームの走査終了側の角部側をハウジング１１２に対して位置決めし、他の角部においてスナップフィットを用いて係止させることで、ハウジング１１２内の温度によってカバー１１４は伸縮可能となり、カバーに取り付けられている同期検知センサは走査方向へ移動可能となる。
【００７４】
このため、温度による印字開始位置のずれ量は、ハウジング基準から印字開始位置間の伸縮量（δ１）、カバー１１４の取り付け基準からＳＯＳセンサ６２までの伸縮量（δ２）、及びハウジング基準からカバー１１４の取り付け基準までの伸縮量（δ３）を加えたものになる。
【００７５】
ここで、カバー１１４の線膨張係数はハウジング１１２の線膨張係数に対して大きいため、温度によって移動するＳＯＳセンサ６２の位置について考えると、カバー１１４にＳＯＳセンサ６２を取り付けた方が、ハウジング１１２にＳＯＳセンサ６２を取り付けるより移動量が大きくなる。換言すれば、ＳＯＳセンサ６２の移動量が大きくなる分、カバー１１４の大きさを小さくすることができる。つまり、カバー１１４にＳＯＳセンサ６２を取り付けた方がハウジング１１２に取り付けた場合と比較して光走査装置２０の小型化が可能となる。
【００７６】
なお、本形態はあくまでも一実施例であり、本発明の主旨を逸脱しない範囲内において適宜変更可能であることは言うまでもない。
【図面の簡単な説明】
【００７７】
【図１】本発明の実施形態に係る画像形成装置を示す側面図である。
【図２】本発明の第１の実施形態に係る光走査装置を示す斜視図である。
【図３】本発明の第１の実施形態に係る光走査装置を示す平面図である。
【図４】本発明の第１の実施形態に係る光走査装置の要部を示す斜視図である。
【図５】本発明の第１の実施形態に係る光走査装置の要部を示す動作図である。
【図６】本発明の第２の実施形態に係る光走査装置を示す平面図である。
【図７】本発明の第２の実施形態に係る光走査装置の要部を示す斜視図である。
【図８】本発明の第２の実施形態に係る光走査装置の要部を示す動作図である。
【図９】本発明の第３の実施形態に係る光走査装置を示す平面図である。
【図１０】本発明の第３の実施形態に係る光走査装置の要部を示す分解斜視図である。
【図１１】本発明の第３の実施形態に係る光走査装置の要部を示す斜視図である。
【図１２】本発明の第４の実施形態に係る光走査装置を示す分解斜視図である。
【図１３】本発明の第４の実施形態に係る光走査装置を示す平面図である。
【符号の説明】
【００７８】
１０    画像形成装置
２０    光走査装置
５０    光偏向器
６０    ＳＯＳミラー（反射ミラー）
６２    ＳＯＳセンサ（同期検知センサ）
６４    支持部（第１補正手段）
６６    保持部材
６８    伸縮部材（第１補正手段、第２補正手段）
７０    コイルスプリング（付勢手段、第１補正手段）
８０    回転部材（第２補正手段）
８４    板バネ（付勢手段、第２補正手段）
９８    フレーム
１１４  カバー
【図１】
2006267701.tif 000003
【図２】
2006267701.tif 000004
【図３】
2006267701.tif 000005
【図４】
2006267701.tif 000006
【図５】
2006267701.tif 000007
【図６】
2006267701.tif 000008
【図７】
2006267701.tif 000009
【図８】
2006267701.tif 000010
【図９】
2006267701.tif 000011
【図１０】
2006267701.tif 000012
【図１１】
2006267701.tif 000013
【図１２】
2006267701.tif 000014
【図１３】
2006267701.tif 000015